(57)【特許請求の範囲】
【請求項１】
隣接する外壁ボードの側面間に配設される長手方向に沿っての折り曲げまたは折り畳み可能な細長帯状部材であって、この細長帯状部材の一方の面に、外壁ボードの側面へ取り付けるための粘着固定層が、両方の長手端縁部に沿うように離間してそれぞれ設けられ、
前記細長帯状部材の他方の面に、前記一方の面に設けた粘着固定層より弱い粘着力で、長手方向に沿っての折り曲げまたは折り畳み状態を保持する粘着仮止め層が設けられていることを特徴とする外壁ボード継目処理部材。
【請求項２】
前記細長帯状部材は、折り曲げまたは折り畳み状態に抗する弾性復元力を有することを特徴とする請求項１に記載の外壁ボード継目処理部材。
【請求項３】
前記細長帯状部材は、防水性を有することを特徴とする請求項１または２に記載の外壁ボード継目処理部材。
【請求項４】
前記細長帯状部材の幅は外壁ボードの厚さの２倍以上であり、各粘着固定層の幅は取り付ける外壁ボードの厚さの１／３から１／２であることを特徴とする請求項１から３の何れか一項に記載の外壁ボード継目処理部材。
【請求項５】
前記細長帯状部材の他方の面に、粘着固定層より弱い粘着力の粘着仮止め層を介して施工用摘み片が除去可能に取り付けられていることを特徴とする請求項１から４の何れか一項に記載の外壁ボード継目処理部材。
【請求項６】
建築物の外壁へ取り付ける前の隣接する外壁ボードの側面間に、請求項１から５の何れか一項に記載の外壁ボード継目処理部材を配設し、この外壁ボード継目処理部材を介して少なくとも２以上の外壁ボードの側面同士が継ぎ合わせてなることを特徴とする連結外壁材。
【請求項７】
建築物の外壁面へ取り付ける前の外壁ボードをその側面同士が対向するよう隣接して配置し、次いで、この外壁ボードの側面間に請求項１に記載の外壁ボード継目処理部材を配置し、その後、互いの外壁ボードが近接するように隣接する何れか一方もしくは両方の外壁ボードを押し付けることにより各外壁ボードの側面に外壁ボード継目処理部材の粘着固定層をそれぞれ取り付け、隣接する外壁ボードの側面間に外壁ボード継目処理部材を配設することを特徴とする外壁ボード継目処理部材の施用方法。
【請求項８】
建築物の外壁面へ取り付けた後の隣接する外壁ボード間に請求項５に記載の外壁ボード継目処理部材をその施工用摘み片を用いて挿入し、次いで、外壁ボード継目処理部材に設けられた各粘着固定層をそれぞれに隣接する外壁ボード側面に取り付けて、隣接する外壁ボードの側面間に外壁ボード継目処理部材を配設することを特徴とする外壁ボード継目処理部材の施用方法。
【請求項９】
請求項１から５の何れか一項に記載の外壁ボード継目処理部材を長手方向に沿って折り曲げまたは折り畳み状態で外壁ボードの側面間に配設し、次いで、長手方向に沿っての折り曲げまたは折り畳みにより形成された外壁ボード継目処理部材の中空部に柔軟な弾性充填材を充填し、その後、外壁ボード及び外壁ボード継目処理部材の表面に外装塗装を一様に施すことを特徴とする外壁の外装処理方法。
【発明の詳細な説明】
【０００１】
【発明の属する技術分野】
この発明は、建築物の外壁面に取り付けられる外壁ボードの間に配設される外壁ボード継目処理部材とこれを用いた連結外壁材、及び外壁ボード継目処理部材の施用方法、並びに外壁の外装処理方法に関する。
【０００２】
【従来の技術】
建築物の外壁に取り付けられる外壁ボードの継目部分を処理する手段としては、特開平２０００−３２８７５２号公報に記載されたような外壁ボード継目処理部材を用いるものが知られている。
【０００３】
ここで、上記手段に用いられる外壁ボード継目処理部材について、図１１を参照しながら説明する。この図１１に示す外壁ボード継目処理部材は、ゴム弾性を有する素材より形成されている。そして、その構造は、隣接する外壁ボード１０５ａ、１０５ａの間隙に埋設されるチューブ状部材１０１と、外壁ボード１０５ａの各端縁部間表面に跨るように配設されるテープ状部材１０２ａとが一体化されているものである。
【０００４】
テープ状部材１０２ａは、チューブ内に達するスリット１０３を有し、また、チューブ状部材１０１は、その外面で外壁ボード端縁部と相対向する面のそれぞれに、少なくとも一個の鍔状突起部１０４ａ、１０４ａを有している。
【０００５】
そして、このように構成した外壁ボード継目処理部材は、隣接する外壁ボード１０５ａ、１０５ａの間隙にそのテープ状部材１０２ａが両外壁ボードの端縁部間表面に跨るように配設して埋設し、その後、外壁ボード継目処理部材を含む外壁ボードの表面に上塗り塗膜１０６を施すようにしたものである。
【０００６】
【発明が解決しようとする課題】
しかしながら、上述の手段においては、外壁ボード継目処理部材のテープ状部材１０２ａが両外壁ボードの端縁部間表面に跨るように配設されてなるものであるため、テープ状部材１０２ａ部分が外壁ボード１０５ａの表面より突出し、外観上見栄えの良くないものとなってしまう。そして、この表面突出部は、外壁ボード継目処理部材を含む外壁ボードの表面に上塗り塗膜１０６を施すようにしたとしても解消されず、装飾効果を高めるために施された上塗り塗膜１０６の上からでも外壁ボード幅で外観上目だって確認でき、折角外観品質向上を目的として施した装飾の効果を低下させてしまう。
【０００７】
また、上述の外壁ボード継目処理部材は、建築物の外壁に取り付け固定された外壁ボード間に配設することを目的とするものであるため、施工期間の短縮化や作業を簡略化して効率良く行うことを目的として、予め工場等で建築物の外壁へ取り付ける前の外壁ボードを順次継ぎ合わせて連結外壁材とすることに適応することは非常に困難なものと思われる。
【０００８】
本発明は、上記の事情に基づきなされたもので、その目的とするところは、建築物（主に一般住宅）の外壁面に取り付けられる外壁ボードの間に配設されても外壁ボードの表面より突出することなく、外観上平坦で見栄えの良い外壁とすることのできる外壁ボード継目処理部材とこれを用いた連結外壁材、及び外壁ボード継目処理部材の施用方法、並びに外壁の外装処理方法を提供することにある。
【０００９】
また、本発明の他の目的は、予め工場等で建築物の外壁へ取り付ける前の外壁ボードを順次継ぎ合わせて連結外壁材とすることを可能とし、施工期間の短縮化や作業の簡略化を効率良く行うようにすることにある。
【００１０】
【課題を解決するための手段】
上述の目的を達成するため、本発明は、外壁ボード継目処理部材の外壁ボードへの取付箇所を従来提案されていたものとは異なる特定の箇所に変更するとともに、外壁ボード継目処理部材の構造をこれに伴って変更することで、これまで解消されなかった外観上見栄えの悪い外壁ボードの表面の継目箇所における突出部の形成を無くすようにした。しかも、取付箇所の変更と外壁ボード継目処理部材の構造の変更に伴って、予め工場等で建築物の外壁へ取り付ける前の外壁ボードを順次継ぎ合わせて連結外壁材とすることも可能とした。
【００１１】
すなわち、本発明の外壁ボード継目処理部材は、隣接する外壁ボードの側面間に配設される長手方向に沿っての折り曲げまたは折り畳み可能な細長帯状部材であって、この細長帯状部材の一面側に、外壁ボードの側面へ取り付けるための粘着固定層を両方の長手端縁部に沿うよう間隔を空けてそれぞれ設けてなる構成としたものである。
【００１２】
ここで、長手方向に沿っての折り曲げまたは折り畳み可能な細長帯状部材としては、折り曲げまたは折り畳みによって容易に破損することのない柔軟な材料であれば特に限定されない。したがって、例えば、アクリル樹脂、ポリエチレンテレフタレート等のポリエステル、ポリアミド、ポリカーボネート、ポリプロピレン、ポリエチレン、エチレン／酢酸ビニル、塩化ビニル樹脂等の合成樹脂、スチレン・ブタジエンゴムやウレタンゴム、クロロプレンゴム、アクリルゴム等の合成ゴム及びその発砲体、撥水紙や耐水紙、耐湿紙等の合成樹脂加工紙、化学繊維紙、不織布といった材料からなるシート状部材が適宜選択して用いられる。なお、基材としての細長帯状部材の厚みは、０．０３ｍｍから２．０ｍｍ程度が好ましい。
【００１３】
また、粘着固定層は、外壁ボードの側面へ取り付けることが可能な材料からなるものであれば特に限定されない。したがって、例えば、アクリル樹脂、ポリ酢酸ビニル樹脂、フェノール樹脂、尿素・ホルムアルデヒド樹脂、エポキシ樹脂等といった合成樹脂材料からなる粘着剤が適宜選択して用いられると考えられる。しかし、施工の際に要する手間等を考慮すれば、予め粘着固定層を形成し施工の際に要する手間を省くこととする、例えば、アクリル樹脂系やポリウレタン系、シリコーン系の感圧性粘着（接着）剤を用いるのが望ましい。なお、粘着固定層の厚みは、０．０３ｍｍから０．１５ｍｍ程度で良く、幅は基材としての細長帯状部材の幅に適応して適宜調整すると良い。
【００１４】
このように、外壁ボード継目処理部材の外壁ボードへの取付箇所を、従来のように隣接する外壁ボードの両端縁部表面から隣接する外壁ボードの（両端縁部）側面へ変更したことで、外壁ボード継目処理部材は外壁ボードへの取付部も含めて全てが隣接する外壁ボードの側面間に挟まった状態で配設されることとなり、外壁表面に突出部が現れることを回避することができる。しかも、基材としての細長帯状部材の構造を折り曲げまたは折り畳み可能なものとすることにより、温度差や湿度差によって生じる外壁ボートの伸縮や振動などによる外壁ボード間隔の変動に対して追従可能なものとすることができる。
【００１５】
また、他の発明は、上述の外壁ボード継目処理部材の発明に加えて更に、細長帯状部材を、折り曲げまたは折り畳み状態に抗する弾性復元力を有してなるものとする。
【００１６】
この折り曲げまたは折り畳み状態に抗しての弾性復元力は、前述した折り曲げまたは折り畳みによって容易に破損することのない柔軟な材料自体の厚みや硬度の調整によって適宜達成することができる。
【００１７】
このように、細長帯状部材を、折り曲げまたは折り畳み状態に抗する弾性復元力を有する細長帯状部材を基材とした外壁ボード継目処理部材は、常に隣接する外壁ボード間に突っ張った圧接状態で配設され、外壁ボードの側面と外壁ボード継目処理部材の粘着固定層との接触を密にし、両者を確実に取り付けることができる。しかも、隣接する外壁ボード間の間隔変化に対して無理なく伸縮することとなるので、外壁ボードの側面と外壁ボード継目処理部材の粘着固定層との間に不要な隙間を生じさせることも無くすことができる。
【００１８】
また、他の発明は、上述の外壁ボード継目処理部材の各発明に加えて更に、基材としての細長帯状部材を、防水性を有してなるものとする。
【００１９】
このように、細長帯状部材を、防水性を有してなるものとすることで、外壁ボードの表面に施した外装塗装膜にひび割れが生じたとしても、雨水の建築物外壁面（躯体）内部への侵入を防ぐことができる。
【００２０】
また、他の発明は、上述の外壁ボード継目処理部材の各発明に加えて更に、細長帯状部材の幅を取り付ける外壁ボードの厚さの２倍以上とするとともに、その一面側に設けられた各粘着固定層の幅を取り付ける外壁ボードの厚さの１／３（３分の１）から１／２（２分の１）程度とするものである。
【００２１】
すなわち、例えば、外壁ボードの厚みが１２ｍｍの場合であれば、細長帯状部材の幅は２倍以上であるから２倍とした２４ｍｍ、各粘着固定層の幅は１／３から１／２程度であるから４ｍｍから６ｍｍ程度とした外壁ボード継目処理部材となり、また、外壁ボードの厚みが５ｍｍの場合であれば、細長帯状部材の幅は２倍以上であるから２．４倍とした１２ｍｍ、各粘着固定層の幅は１／３から１／２程度であるから１．７ｍｍから２．５ｍｍ程度とした外壁ボード継目処理部材となる。
【００２２】
このように、細長帯状部材の幅や粘着固定層の幅を一定の値に調整することで、外壁ボード間での伸縮に寄与する細長帯状部材の非取り付け部分が十分に確保されて外壁ボード間の間隔変化に対する自由度が大きくなり、外壁ボード継目処理部材が外壁ボードから離脱すること無く、両外壁ボード間の間隔変化に対して追従可能なものとすることができることとなる。そして、上述した例示に従えば、前者の外壁ボード継目処理部材は非取り付け部分が１２ｍｍであるから、最大１２ｍｍの間隔変化による目地変動に追従可能なものとなり、また、後者の外壁ボード継目処理部材は非取り付け部分が７ｍｍであるから、最大７ｍｍの間隔変化による目地変動に追従可能なものとなる。
【００２３】
また、他の発明は、上述の外壁ボード継目処理部材の各発明に加えて更に、細長帯状部材の他面側に、一面側に設けた粘着固定層より弱い粘着力で長手方向に沿っての折り曲げまたは折り畳み状態を保持する粘着仮止め層を設けるとするものである。
【００２４】
このように、一面側に設けた粘着固定層より弱い粘着力で長手方向に沿っての折り曲げまたは折り畳み状態を保持する粘着仮止め層を設けることで、隣接する外壁ボードの側面同士の工場や現場での連結に際して、外壁ボードの側面間への配設を僅かな隙間でもって容易に行なうことができる。また、外壁ボード継目処理部材自体の保管・搬送及び作業を容易に行なうこともできる。さらに、工場での外壁ボードの連結後においては、搬送中に生じる無闇な横ズレを防止することもできる。
【００２５】
なお、長帯状部材の他面側に設けられた粘着仮止め層は一面側に設けた粘着固定層より弱い粘着力であるので、外壁ボードの側面間に取り付けられた後、両外壁ボード間に間隔変化が生じたとしても、上記粘着仮止め層が破壊されることで間隔変化に対して追従可能なものとすることができ、外壁ボード継目処理部材自体の粘着固定層が破壊されて外壁ボードの側面から離脱してしまうことはない。
【００２６】
また、他の発明は、上述の外壁ボード継目処理部の各発明に加えて更に、細長帯状部材の他面側に、一面側に設けた粘着固定層より弱い粘着力の粘着仮止め層を介して施工用摘み片を除去可能に取り付けるとするものである。
【００２７】
このように、一面側に設けた粘着固定層より弱い粘着力の粘着仮止め層を介して施工用摘み片を除去可能に取り付けることで、隣接する外壁ボードの側面同士の工場や現場での連結に際して、この施工用摘み片を操作することで外壁ボード継目処理部材の配設作業やその位置決めが行い易くなる。しかも、施工用摘み片を柔軟な弾性部材とすれば、隣接する外壁ボードの側面同士の工場や現場での連結に際して、細長帯状部材が外壁ボードの側面間に圧接状態で配設されることとなり、外壁ボード継目処理部材の外壁ボードの側面への取り付けが確実に行われることとなる。なお、施工用摘み片は、外壁ボード継目処理部材自体の粘着固定層より弱い粘着力によって取り付けられているので、その後外壁ボード継目処理部材自体の粘着固定層を破壊させることなく任意に除去することができる。
【００２８】
また、他の発明は、建築物の外壁へ取り付ける前の隣接する外壁ボードの側面間に、上述した各発明の何れか一の外壁ボード継目処理部材を配設し、少なくとも２以上の外壁ボードの側面同士を上記外壁ボード継目処理部材を介して順次継ぎ合わせることにより連結外壁材とするものである。
【００２９】
このように、上述した外壁ボード継目処理部材の各発明の何れか一を用いることで、建築物の外壁面へ外壁ボードを取り付けることなく、外壁ボードの間隔変化に対応可能な目地部を形成した連結外壁材とすることができる。また、この連結外壁材を建築物の外壁へ一度に取り付けることで、現場での個々の外壁ボードの取付作業が無くなり、外壁形成作業全体を効率よく簡略化することができるものとなる。
【００３０】
また、他の発明は、建築物の外壁面へ取り付ける前の外壁ボードを側面同士が対向するように隣接して配置する。次いで、この外壁ボードの側面間に、一面側に設けた粘着固定層より弱い粘着力で長手方向に沿っての折り曲げまたは折り畳み状態を保持する粘着仮止め層を設けた前述の外壁ボード継目処理部材を配置する。その後、互いの外壁ボードが近接するよう隣接する何れか一方もしくは両方の外壁ボードを押し付けることにより各外壁ボードの側面に外壁ボード継目処理部材の粘着固定層をそれぞれ取り付けることで、隣接する外壁ボードの側面間に外壁ボード継目処理部材を配設し、外壁ボード継目処理部材を隣接する外壁ボードの側面間に施用するものである。
【００３１】
このように、長手方向に沿っての折り曲げまたは折り畳み状態を保持する粘着仮止め層を設けた外壁ボード継目処理部材の場合、外壁ボード継目処理部材の粘着固定層が外壁ボードの側面と対向する位置に現れるので、建築物の外壁へ取り付けられた後の外壁ボード間への配設を容易に行うことができる。しかも、建築物の外壁へ取り付ける前の外壁ボードであっても、外壁ボード間にこれを配置して挟み込むようにすることで、現場で個々に外壁ボードの取付作業を行うことなく、まとめて外壁ボードの取付作業を行うことのできる継ぎ合わされた連結外壁材を効率よく容易に製造することができる。
【００３２】
また、他の発明は、建築物の外壁面へ取り付けた後の隣接する外壁ボード間に、一面側に設けた粘着固定層より弱い粘着力によって除去可能な施工用摘み片を取り付けた前述の外壁ボード継目処理部材を設けられた施工用摘み片を用いて配設する。次いで、この外壁ボード継目処理部材における一面側長手端縁部に設けられた一方の粘着固定層を隣接する一方の外壁ボード側面取り付けるとともに、引き続き他方の粘着固定層を隣接する他方の外壁ボード側面取り付けることで、隣接する外壁ボードの側面間に外壁ボード継目処理部材を配設し、外壁ボード継目処理部材を隣接する外壁ボードの側面間に施用するものである。
【００３３】
このように、除去可能な施工用摘み片を取り付けた外壁ボード継目処理部材の場合、隣接する外壁ボード間へ外壁ボード継目処理部材を配設する作業操作を行う施工用摘み片が設けられているので、建築物の外壁へ取り付ける前の外壁ボード間への配設を行うことができる。しかも、建築物の外壁へ取り付けられた後の部分的な外壁ボード間の補修作業であっても、対応して効率よく容易に行うことができる。
【００３４】
また、他の発明は、上述した各発明の何れか一の外壁ボード継目処理部材を長手方向に沿って折り曲げまたは折り畳み状態で隣接する外壁ボードの側面間に配設する。次いで、長手方向に沿って折り曲げまたは折り畳みにより形成された外壁ボード継目処理部材の中空部に柔軟な弾性充填材を充填する。その後、外壁ボード及び外壁ボード継目処理部材の表面に外装塗装を一様に施すことで、建築物の外壁の外装処理を行うようにするものである。
【００３５】
なお、外装塗装材としては、アクリル・シリコン樹脂のように、温度差や湿度差によって生じる外壁ボートの伸縮や振動などによる外壁ボード間隔の変動に対して、外壁ボード継目処理部材とともに追従可能となるような弾性変形可能な塗膜を形成するものであれば、特に限定されない。
【００３６】
このように、隣接する外壁ボードの側面間に配設された外壁ボード継目処理部材により形成された中空部は弾性充填材により蓋がされたように閉塞されるので中空部による窪み部が表面に現れることはない。しかも、その後に外壁表面全体に外装塗装を一様に施すことで、何ら段差が生じること無く、表面に施された外装塗装の装飾効果が損なわれることのない、外観品質を十分に高めたものとすることができる。
【００３７】
【発明の実施の形態】
以下、本発明の外壁ボード継目処理部材に係る実施の形態について、図面に基づき説明する。
（第一の実施の形態）
図１は、本発明の第一の実施の形態に係る外壁ボード継目処理部材の構成を示す図であり、（Ａ）長手方向に沿って折り曲げる前の部分拡大断面斜視図、（Ｂ）長手方向に沿って折り曲げた状態の部分拡大断面斜視図である。
【００３８】
図１（Ａ）に示すように、この実施の形態の外壁ボード継目処理部材１は、基材となるシート状の細長帯状部材２の一面側に、外壁ボードの側面へ取り付けるための粘着固定層３を、両方の長手端縁部２ａ、２ａに沿うよう間隔を空けてそれぞれ設けてなる。
【００３９】
この基材としてのシート状細長帯状部材２は、折り曲げによって破損することが無く、また、折り曲げ状態に抗する弾性復元力を有する、防水性の柔軟な材料からなり、図１（Ｂ）に示すように、長手方向に沿って容易に折り曲げることができる。これにより、外壁ボード継目処理部材は、外壁ボードへの取付部分も含めて全てが隣接する外壁ボードの側面間に挟まった状態で配設され、外壁表面に外壁ボード継目処理部材による突出部が現れることはない。なお、柔軟な材料としては、例えば、既述したようなアクリル樹脂やスチレン・ブタジエンゴム等の材料から適宜選択して用いると良い。
【００４０】
また、シート状細長帯状部材２の大きさは、配設する外壁ボードの厚みや大きさによって左右されるが、例えば、外壁ボードの大きさが、縦２ｍ×横１．５ｍ×厚さ１２ｍｍのものであれば、適切な寸法として、長さ２ｍ×幅２４ｍｍ×厚さ１ｍｍとすることができる。
【００４１】
また、粘着固定層３には感圧性粘着剤を用い、その幅や長さ、厚みは、やはり外壁ボードの厚みやシート状細長帯状部材２の大きさによって左右される。そして、上述した例示に従えば、幅６ｍｍでシート状細長帯状部材２の長手端縁部に沿って長さ２ｍに亘り、厚み０．０４ｍｍ程度として設けると良い。なお、図示しないが、粘着固定層３の表面は、使用前には剥離紙により覆われている。
【００４２】
かかる構成の外壁ボード継目処理部材１は、図２（Ａ）に示すように、隣接する外壁ボード５−１、５−２の側面５ａ−１、５ａ−２間に長手方向に沿って折り曲げた状態で配置し、剥離紙を除去した後の粘着固定層３を外壁ボード２の側面５ａ−１、５ａ−２に取り付けることで、その間に配設される。なお、各外壁ボードは、釘などによって建築物の木桟等に固定されているものでも良いし、建築物に固定される前のものであっても良い。
【００４３】
また、この外壁ボード継目処理部材１は、上述のようにシート状細長帯状部材２の大きさや粘着固定層３の範囲を調整したので、外壁ボード間での間隔変化に応じて伸長する自由度の大きい非取り付け部分が確保され、図２（Ｂ）に示すように、建築物への固定後に温度差や湿度差によって生じる外壁ボートの伸縮や振動などによる外壁ボード間隔の変動に応じて、追従することができることとなる。したがって、両外壁ボード間の間隔変化によって、外壁ボード（側面）から外壁ボード継目処理部材が離脱することもない。
【００４４】
そして、上述のように外壁ボード５−１、５−２間に外壁ボード継目処理部材１が配設された建築物の外壁表面に外装塗装を施す場合は、図３に示すように、外壁ボード継目処理部材１を長手方向に沿って折り曲げることにより形成された中空部９の表面箇所に、蓋をするように柔軟な弾性充填材４を充填し、その後、外壁ボード５−１、５−２及び弾性充填材４の充填を施した外壁ボード継目処理部材１の表面に、弾性変形可能な塗膜を形成する外装塗装６を一様に施すこととする。
【００４５】
これにより、長手方向に沿って折り曲げた状態で配設された外壁ボード継目処理部材１によって形成された中空部９は、弾性充填材４によって蓋がされたように閉塞され、その後に外壁表面全体に外装塗装６を一様に施すことで、表面に施された外装塗装の装飾効果を損なわせることなく十分に高めたものとすることができる。
【００４６】
なお、外装塗装６は、弾性変形可能な塗膜を形成することから外壁ボードの間隔に変動が生じたとしてもこれに応じて追従し、塗膜表面にひび割れ等生じることはないが、万一、外壁ボードの表面に施した外装塗装膜にひび割れが生じたとしても、防水性を有する基材としての細長帯状部材２により、雨水の建築物外壁面（躯体）内部への侵入を防ぐことができる。
【００４７】
（第二の実施の形態）
続いて、本発明の第二の実施の形態について図４に基づいて説明する。図４は、本発明の第二の実施の形態に係る外壁ボード継目処理部材の構成を示す図であり、（Ａ）長手方向に沿って折り畳む前の全体の断面図、（Ｂ）長手方向に沿って折り畳んだ状態の全体の断面図である。
【００４８】
図４（Ａ）に示すように、この実施の形態の外壁ボード継目処理部材１１もまた、基材となるシート状の細長帯状部材１２の一面側に、外壁ボードの側面へ取り付けるための粘着固定層１３を両方の長手端縁部１２ａ、１２ａに沿うよう間隔を空けてそれぞれ設けてなる。
【００４９】
この基材としてのシート状細長帯状部材１２は、上述した第一の実施の形態と同様に、折り畳むことによって容易に破損することのない薄厚の軟性材料からなり、図４（Ｂ）に示すように、短手方向に複数設けられた折曲部１７・・１７により蛇腹状に折り畳むことができる。なお、薄厚の軟性材料としては、例えば、既述したようなアクリル樹脂やポリエチレンテレフタレート、ポリプロピレン等の材料から適宜選択して用いると良い。
【００５０】
なお、シート状細長帯状部材１２の大きさは、上述の第一の実施の形態と同様に、配設する外壁ボードの厚みや大きさ等によって左右され、また、粘着固定層1３も、感圧性粘着剤を用いるのが望ましく、シート状細長帯状部材１２の大きさによって適宜調製して設ける。
【００５１】
かかる構成の外壁ボード継目処理部材１１もまた、図示しないが上述の第一の実施の形態と同様に、隣接する外壁ボードの側面間に長手方向に沿って折り畳んだ状態で配置し、剥離紙を除去した後の粘着固定層を外壁ボードの側面に取り付けることで、その間に配設される。そして、外壁ボード継目処理部材を長手方向に沿って折り畳むことにより形成された中空部の表面箇所に、蓋をするように柔軟な弾性充填材を充填し、その後、外壁ボード及び弾性充填材の充填を施した外壁ボード継目処理部材の表面に、弾性変形可能な塗膜を形成する外装塗装を一様に施すこととする。
【００５２】
（第三の実施の形態）
続いて、本発明の第三の実施の形態について図５及び図６に基づいて説明する。図５は、本発明の第三の実施の形態に係る外壁ボード継目処理部材の構成を示す、長手方向に沿って折り曲げた状態の全体の断面図であり、図６は、その部分正面図である。
【００５３】
この実施の形態にかかる外壁ボード継目処理部材２１は、基本的に上述した第一の実施の形態と同様の構成を有している。すなわち、基材となるシート状の細長帯状部材２２の一面側に、外壁ボードの側面へ取り付けるための粘着固定層２３を両方の長手端縁部２２ａ、２２ａに沿うよう間隔を空けてそれぞれ設けてなる。
【００５４】
そして、本実施の形態にかかる外壁ボード継目処理部材２１は、図５に示すように、更に、細長帯状部材２２の他面側に、一面側に設けた粘着固定層２３よりも弱い粘着力で長手方向に沿っての折り曲げまたは折り畳み状態を保持する粘着仮止め層２８を設けている。
【００５５】
ここで、粘着固定層よりも弱い粘着力とは、粘着（接着）剤自体の物性が劣るものの他、図６に示すように、粘着固定層と同様の粘着（接着）剤を部分的に用いることで、全体的な粘着力の低下がもたらされるようにするものでも良い。
【００５６】
また、かかる構成の外壁ボード継目処理部材２１もまた、図示しないが前述の第一の実施の形態と同様に、隣接する外壁ボードの側面間に長手方向に沿って折り曲げた状態で配置し、剥離紙を除去した後の粘着固定層を外壁ボードの側面に取り付けることで、その間に配設される。そして、外壁ボード継目処理部材を長手方向に沿って折り曲げることにより形成された中空部の表面箇所に、蓋をするように柔軟な弾性充填材を充填し、その後、外壁ボード及び弾性充填材の充填を施した外壁ボード継目処理部材の表面に、弾性変形可能な塗膜を形成する外装塗装を一様に施すこととする。
【００５７】
なお、細長帯状部材２２の他面側に設けられた粘着仮止め層２８は、外壁ボードの間隔が拡がることによって容易に破壊される。したがって、外壁ボードの間隔の変動によって、外壁ボード継目処理部材を外壁ボードの側面から離脱させることはない。
【００５８】
（第四の実施の形態）
続いて、本発明の第四の実施の形態について図９に基づいて説明する。図９は、本発明の第四の実施の形態に係る外壁ボード継目処理部材を示す、（Ａ）断面図、（Ｂ）隣接する外壁ボード間へ配設する状態の部分拡大断面図、（Ｃ）隣接する外壁ボード間への配設を完了した状態の部分拡大断面図である。
【００５９】
この実施の形態にかかる外壁ボード継目処理部材３１もまた、基本的に前述した第一の実施の形態と同様の構成を有している。すなわち、基材となるシート状の細長帯状部材３２の一面側に、外壁ボードの側面へ貼り付けるための粘着固定層３３を両方の長手端縁部３２ａ、３２ａに沿うよう間隔を空けてそれぞれ設けてなる。
【００６０】
そして、本実施の形態にかかる外壁ボード継目処理部材３１は、図９（Ａ）に示すように、更に、細長帯状部材３２の他面側に、一面側に設けた粘着固定層３３よりも弱い粘着力の粘着仮止め層３８を設け、この粘着仮止め層３８を介して容易に除去可能となるよう、例えば、発泡スチロール材からなる施工用摘み片３９を取り付ける。なお、粘着固定層よりも弱い粘着力とは、上述した第三の実施の形態と同様である。
【００６１】
また、かかる構成の外壁ボード継目処理部材３１の隣接する外壁ボード５−１、５−２の間への施用方法として、建築物の外壁へ取り付けた後の隣接する外壁ボード間に外壁ボード継目処理部材を施用する場合について説明する。
【００６２】
まず、図示しないが、各外壁ボードを釘などによって建築物の木桟等に固定することによりその外壁へ取り付ける。次いで、図９（Ｂ）に示すように、建築物の外壁へ取り付けた後の隣接する外壁ボード間に、施工用摘み片３９を保持して外壁ボード継目処理部材３１を押し込むように挿入することで、細長帯状部材３２を長手方向に沿って折り曲げた状態でその側面５ａ−１、５ａ−２間に配置する。
【００６３】
そして、位置決めが完了したら、この外壁ボード継目処理部材における一面側長手端縁部に設けられた一方の粘着固定層３３を、剥離紙の除去後に隣接する一方の外壁ボード側面５ａ−１に取り付けるとともに、引き続き他方の粘着固定層３３を隣接する他方の外壁ボード側面５ａ−２に取り付けることで、隣接する外壁ボードの側面間に外壁ボード継目処理部材３１を配設する。
【００６４】
なお、外壁ボード継目処理部材３１の配設が完了した後に施工用摘み片３９を引っ張ることで、粘着仮止め層３８は容易に破壊され、施工用摘み片３９は細長帯状部材３２の他面側から離脱して引き抜かれ、粘着固定層を有する細長帯状部材からなる基本的な外壁ボード継目処理部材だけが残ることとなる。
【００６５】
そして、その後は前述した第一の実施の形態と同様に、外壁ボード継目処理部材を長手方向に沿って折り曲げることにより形成された中空部の表面箇所に、蓋をするように柔軟な弾性充填材を充填し、外壁ボード及び弾性充填材の充填を施した外壁ボード継目処理部材の表面に、弾性変形可能な塗膜を形成する外装塗装を一様に施すこととする。
【００６６】
（第五の実施の形態）
さらに、本発明の第五の実施の形態について図１０に基づいて説明する。図１０は、本発明の第五の実施の形態に係る外壁ボード継目処理部材を示す、（Ａ）断面図、（Ｂ）隣接する外壁ボード間へ配設する状態の部分拡大断面図、（Ｃ）隣接する外壁ボード間への配設を完了した状態の部分拡大断面図である。
【００６７】
この実施の形態にかかる外壁ボード継目処理部材４１もまた、基本的に前述した第一の実施の形態と同様の構成を有している。すなわち、基材となるシート状の細長帯状部材４２の一面側に、外壁ボードの側面へ貼り付けるための粘着固定層４３を両方の長手端縁部４２ａ、４２ａに沿うよう間隔を空けてそれぞれ設けてなる。
【００６８】
そして、本実施の形態にかかる外壁ボード継目処理部材４１は、図１０（Ａ）に示すように、更に、細長帯状部材４２の他面側に、一面側に設けた粘着固定層４３よりも弱い粘着力の粘着仮止め層４８を設け、この粘着仮止め層４８を介して容易に除去可能となるよう、例えば、発泡合成ゴムや発泡合成樹脂等の柔軟な弾性部材からなる施工用摘み片４９を、長手方向に沿っての折り曲げ状態を保持するよう取り付ける。なお、粘着固定層よりも弱い粘着力とは、やはり上述した第三の実施の形態と同様である。
【００６９】
また、かかる構成の外壁ボード継目処理部材４１は、図１０（Ｂ）に示すように、施工用摘み片４９を保持して隣接する外壁ボード５−１、５−２の間に押し込むように挿入することで、細長帯状部材４２の長手方向に沿っての折り曲げ状態を保持したままその側面５ａ−１、５ａ−２間に配置される。
【００７０】
この際、外壁ボード５−１、５−２の側面５ａ−１、５ａ−２間が、外壁ボード継目処理部材４１における細長帯状部材４２の折り曲げ状態幅より多少狭くても、外壁ボード継目処理部材を長手方向に沿って折り曲げることにより細長帯状部材で挟まれることとなる柔軟な弾性部材からなる施工用摘み片４９が圧縮変形することとなるので、何ら問題はない。
【００７１】
そして、位置決めが完了したら、上述した第四の実施の形態の外壁ボード継目処理部材の施用方法と同様に、この外壁ボード継目処理部材における一面側長手端縁部に設けられた一方の粘着固定層４３を、剥離紙の除去後に隣接する一方の外壁ボード側面５ａ−１に取り付けるとともに、引き続き他方の粘着固定層４３を隣接する他方の外壁ボード側面５ａ−２に取り付けることで、隣接する外壁ボードの側面間に外壁ボード継目処理部材４１を配設する。
【００７２】
なお、外壁ボード継目処理部材４１の配設が完了した後に施工用摘み片４９を引っ張ることで、粘着仮止め層４８は容易に破壊され、施工用摘み片４９は細長帯状部材４２の他面側から離脱して引き抜かれ、粘着固定層を有する細長帯状部材からなる基本的な外壁ボード継目処理部材だけが残ることとなる。
【００７３】
そして、その後は前述した第一の実施の形態と同様に、外壁ボード継目処理部材を長手方向に沿って折り曲げることにより形成された中空部の表面箇所に、蓋をするように柔軟な弾性充填材を充填し、外壁ボード及び弾性充填材の充填を施した外壁ボード継目処理部材の表面に、弾性変形可能な塗膜を形成する外装塗装を一様に施すこととする。
【００７４】
次に、本発明の外壁ボード継目処理部材を用いた連結外壁材に係る実施の形態について、図面に基づき説明する。
図７は、外壁ボード継目処理部材を複数の外壁ボード間に配設し、継ぎ合わせて連結外壁材とする状態を説明する正面図である。この際、外壁ボード継目処理部材は、前述した本発明の第三の実施の形態に係るものを用いた。
【００７５】
図７に示すように、この実施の形態の外壁ボード継目処理部材を用いた連結外壁材２０は、建築物の外壁へ取り付ける前の隣接する外壁ボード５−１、５−２・・５−５・・の側面間に、外壁ボード継目処理部材２１を配設し、少なくとも２以上の外壁ボードの側面同士を、上記外壁ボード継目処理部材２１を介して順次継ぎ合わせるものである。
【００７６】
そして、連結外壁材２０を製造する際の外壁ボード継目処理部材の施用方法として、第4の外壁ボードと第５の外壁ボードとを継ぎ合わせる場合について説明する。
【００７７】
まず、建築物の外壁へ取り付ける前の第4の外壁ボード５−４と第５の外壁ボード５−５を、その側面同士が対向するように隣接して配置する。なお、第4の外壁ボード５−４は、既に第1の外壁ボード５−１から第３の外壁ボード５−３までと一連に連結されている。
【００７８】
次いで、これらの外壁ボード５−４、５−５の側面間に、一面側に設けた粘着固定層２３より弱い粘着力で長手方向に沿っての折り曲げまたは折り畳み状態を保持する粘着仮止め層２８を設けた前述の第三の実施の形態に係る外壁ボード継目処理部材２１を配置する。
【００７９】
その後、互いの外壁ボードが近接するよう第５の外壁ボード５−５を側方から押し付けることにより、第1の外壁ボード５−１から第４の外壁ボード５−４までが一連に連結されたものと第５の外壁ボード５−５とを継ぎ合わせ、複数の外壁ボードが順次継ぎ合わされた連結外壁材２０とすることができる。
【００８０】
この際、外壁ボード継目処理部材を隣接する外壁ボードの側面間に施用した後の継ぎ合わせ状態は、第３の外壁ボード５−３と第４の外壁ボード５−４との継ぎ合わせ部を部分的に拡大して示す図８にように、外壁ボード継目処理部材２１の粘着固定層２３が各外壁ボードの側面に取り付けられ、隣接する外壁ボードの側面間に外壁ボード継目処理部材２１が表面にはみ出ることなく配設されることとなる。
【００８１】
なお、本発明は、図面等に基づいて説明した実施の形態のものに限定されるものではなく、本発明の要旨を逸脱しない範囲で任意に設計変更等ができるものであることは言うまでもない。
【００８２】
【発明の効果】
以上のように本発明の外壁ボード継目処理部材は、隣接する外壁ボード間に配設されても外壁ボードの表面より突出することなく、外観上平坦で見栄えの良い外壁とすることができる。したがって、外壁ボードとともに外壁ボード継目処理部材の表面に施した外装塗装の装飾効果を、十分に高めることができることとなる。
【００８３】
また、本発明のボード継目処理部材を用いることで、予め工場等で建築物の外壁へ取り付ける前の外壁ボードを順次継ぎ合わせて連結外壁材とすることが可能となり、施工期間の短縮化や作業の簡略化を効率良く行うようにすることができることとなる。
【００８４】
さらに、本発明の外壁ボード継目処理部材は、工場等で建築物の外壁面へ取り付ける前の隣接する外壁ボード間に配設することができるとともに、施工用の摘み片を設けることで、建築物の外壁面へ取り付けた後の隣接する外壁ボード間においても配設することができるものとなり、現場での外壁の全面的な施工の他に、外壁の部分的な補修作業にも十分対応することができるものとなる。
【図面の簡単な説明】
【図１】  本発明の第一の実施の形態に係る外壁ボード継目処理部材を示すもので、図１（Ａ）は長手方向に沿って折り曲げる前の部分拡大断面斜視図、図１（Ｂ）は長手方向に沿って折り曲げた状態の部分拡大断面斜視図である。
【図２】  本発明の第一の実施の形態に係る外壁ボード継目処理部材を隣接する外壁ボード間に配設した状態を示すもので、図２（Ａ）は間隔変化前の部分拡大断面図、図２（Ｂ）は間隔変化に対応して追従した状態の部分拡大断面図である。
【図３】  本発明の第一の実施の形態に係る外壁ボード継目処理部材を隣接する外壁ボード間に配設し、その後、外壁表面に外装塗装を施した状態を示す部分拡大断面図である。
【図４】  本発明の第二の実施の形態に係る外壁ボード継目処理部材を示すもので、図４（Ａ）は長手方向に沿って折り畳む前の断面図、図４（Ｂ）は長手方向に沿って折り畳んだ状態の断面図である。
【図５】  本発明の第三の実施の形態に係る外壁ボード継目処理部材を長手方向に沿って折り曲げた状態の断面図である。
【図６】  図５に示す本発明の第三の実施の形態に係る外壁ボード継目処理部材を長手方向に沿って折り曲げた状態の部分正面図である。
【図７】  図５に示す本発明の第三の実施の形態に係る外壁ボード継目処理部材を複数の外壁ボード間に配設し、継ぎ合わせて連結外壁材とする状態を説明する正面図である。
【図８】  図７のVIII部分の部分拡大断面図である。
【図９】  本発明の第四の実施の形態に係る外壁ボード継目処理部材を示すもので、図９（Ａ）は断面図、図９（Ｂ）は隣接する外壁ボード間へ配設する状態の部分拡大断面図、図９（Ｃ）は隣接する外壁ボード間への配設を完了した状態の部分拡大断面図である。
【図１０】  本発明の第五の実施の形態に係る外壁ボード継目処理部材を示すもので、図１０（Ａ）は断面図、図１０（Ｂ）は隣接する外壁ボード間へ配設する状態の部分拡大断面図、図１０（Ｃ）は隣接する外壁ボード間への配設を完了した状態の部分拡大断面図である。
【図１１】  従来技術の外壁ボード継目処理部材を隣接する外壁ボード間に配設し、その後、外壁表面に外装塗装を施した状態を示す部分拡大断面図である。
【符号の説明】
１、１１、２１、３１、４１  外壁ボード継目処理部材
２、１２、２２、３２、４２  細長帯状部材
２ａ、１２a、２２ａ、３２ａ、４２ａ  長手端縁部
３、１３、２３、３３、４３  粘着固定層
４    弾性充填材
５−１、５−２  外壁ボード
５ａ−１、５ａ−２  （外壁ボードの）側面
６  外装塗装
９  中空部
１７  折曲部
２８、３８、４８  粘着仮止め層
３９、４９  施工用摘み片
【図１】
0003937829.tif 000002
【図２】
0003937829.tif 000003
【図３】
0003937829.tif 000004
【図４】
0003937829.tif 000005
【図５】
0003937829.tif 000006
【図６】
0003937829.tif 000007
【図７】
0003937829.tif 000008
【図８】
0003937829.tif 000009
【図９】
0003937829.tif 000010
【図１０】
0003937829.tif 000011
【図１１】
0003937829.tif 000012